(57)【要約】      （修正有）【課題】あらゆる角度からの光を反射し、且つ、再帰性反射性能が低下し難い光視認グッズ（反射グッズ）を提供する。【解決手段】再帰性反射材からなる外皮部材１と、当該外皮部材に内包され、且つ、当該外皮部材を立体的に保持する中身部材２と、当該外皮部材の周縁内部に設けられる形状維持部材３と、を備えると共に、前記再帰性反射材は、布の基材からなる基材層と、当該基材層の表面に形成されると共に多数のガラスビーズを表面が露出するように保持するガラスビーズ保持層と、当該ガラスビーズ及びガラスビーズ保持層の表面に形成され、且つ、撥水剤に対して浸透剤を含ませた撥水層と、を有する再帰性反射布帛である反射グッズ１００を歩行者等が装着することによって、あらゆる角度からの自動車等のライトを反射し、夜間又は暗所等での安全性が確保される。【選択図】図５
0003211626.tif 000002
【実用新案登録請求の範囲】
【請求項１】
再帰性反射材、蓄光材、蛍光材、光拡散材、又は、これらの再帰性反射、蓄光、蛍光、光拡散の性質を複数備えた光学材からなる外皮部材と、
前記外皮部材に内包され且つ当該外皮部材を立体的に保持する中身部材と、
を備えることを特徴とする光視認グッズ。
【請求項２】
金属製又は樹脂製の紐状又は帯状であり且つ両先端部が丸く形成された形状維持部材を前記外皮部材の内部に設けたことを特徴とする請求項１に記載の光視認グッズ。
【請求項３】
前記形状維持部材は、変形した状態を維持する材料から構成されることを特徴とする請求項２に記載の光視認グッズ。
【請求項４】
前記再帰性反射材は、
布の基材からなる基材層と、
当該基材層の表面に形成されると共に多数のガラスビーズを表面が露出するように保持するガラスビーズ保持層と、
当該ガラスビーズ及びガラスビーズ保持層の表面に形成され、且つ、撥水剤に対して浸透剤を含ませた撥水層と、
を有する再帰性反射布帛であることを特徴とする請求項１〜３のいずれか一つに記載の光視認グッズ。
【考案の詳細な説明】
【技術分野】
【０００１】
本考案は、再帰性反射布帛等を用いて立体的に構成された、光視認グッズに関するものである。
【背景技術】
【０００２】
従来、特許文献１に記載されているような光反射ワッペンが知られている。この光反射ワッペンは、反射面が再帰性反射材の光反射フィルムによって形成されると共に、前記反射面に図形等が印刷により表示され、前記光反射フィルムがその裏面を被覆するバッキングフィルムと、その表面を被覆する透明フィルムとに挟まれ、光反射フィルム，バッキングフィルム及び透明フィルムの周縁部が一体に溶着されてプレート状に形成されている。この光反射ワッペンを身に付けた歩行者等は、夜間又は暗所において、自動車等のライトが光反射ワッペンに当たった際に明るく輝くため、運転手から容易に識別され易くなる。
【先行技術文献】
【特許文献】
【０００３】
【特許文献１】実用新案登録第３０６８２２７号
【考案の概要】
【考案が解決しようとする課題】
【０００４】
しかしながら、従来の光反射ワッペンでは、光を反射できる角度に限界があった。すなわち、反射面が向いている方向からの光は反射できるが、その側面及び裏面方向からの光は反射できない。そのため、安全を目的として使用する場合、光を反射できる角度が限られているために安全性の確保が不十分であるという問題点があった。また、これら反射グッズは、特に屋外での効果を期待されるものである。屋外での使用は屋内に比べ、雨濡れや汚れ付着の可能性が高く、これらの水滴や汚れが反射材表面に付着することで、反射性能が低下するという問題点があった。そこで、この考案は、あらゆる角度からの光を反射し、且つ、再帰性反射性能が低下し難い反射グッズを提供することを目的とする。
【課題を解決するための手段】
【０００５】
本考案に係る光視認グッズは、再帰性反射材、蓄光材、蛍光材、光拡散材、又は、これらの再帰性反射、蓄光、蛍光、光拡散の性質を複数備えた光学材からなる外皮部材と、前記外皮部材に内包され且つ当該外皮部材を立体的に保持する中身部材と、を備えることを特徴とする。
【０００６】
また、本考案に係る光視認グッズは、前記考案において、金属製又は樹脂製の紐状又は帯状であり且つ両先端部が丸く形成された形状維持部材を前記外皮部材の内部に設けたことを特徴とする。
【０００７】
また、本考案に係る光視認グッズは、前記考案において、前記形状維持部材は、変形した状態を維持する材料から構成されることを特徴とする。
【０００８】
また、本考案に係る光視認グッズは、前記考案において、前記再帰性反射材は、布の基材からなる基材層と、当該基材層の表面に形成されると共に多数のガラスビーズを表面が露出するように保持するガラスビーズ保持層と、当該ガラスビーズ及びガラスビーズ保持層の表面に形成され、且つ、撥水剤に対して浸透剤を含ませた撥水層と、を有する再帰性反射布帛であることを特徴とする。
【図面の簡単な説明】
【０００９】
【図１】本考案の外皮部材の一部拡大断面図を示す模式図である。
【図２】図１に示した外皮部材の平面の一部を拡大して示した模式図である。
【図３】雨濡れや汚れの払拭後の外皮部材の一部拡大断面を示す模式図である。
【図４】本考案の外皮部材および保護部材の一部拡大断面図を示す模式図である。
【図５】本考案の実施の形態１に係る反射グッズ１００を示す構成図である。
【図６】反射グッズ１００の作製方法を示す一例である。
【図７】本考案の実施の形態２に係る反射グッズ２００を示す構成図である。
【図８】反射グッズ２００の作製方法を示す一例である。
【考案を実施するための形態】
【００１０】
（実施の形態１）
図１は、この考案の外皮部材１の一部拡大断面を示す模式図である。図２は、図１に示した外皮部材１の平面の一部を拡大して示した模式図である。なお、以下では、光視認グッズの一例である反射グッズとして説明する。この反射グッズ１００は、外皮部材１と、当該外皮部材１に内包され、且つ、当該外皮部材を立体的に保持する中身部材２と、当該外皮部材１の周縁内部に設けられる形状維持部材３と、を備える構成である。
【００１１】
前記外皮部材１には、再帰性反射性能が低下し難い再帰性反射布帛Ａを用いる。例えば、特願２０１３−１９６７０２に開示された再帰性反射布帛を採用できる。また、前記外皮部材１は、再帰性反射材の他、蓄光材、蛍光材、光拡散材、又は、これらの再帰性反射、蓄光、蛍光、光拡散の性質を複数備えた光学材を適宜採用できる。前記再帰性反射布帛Ａは、布等の基材層Ａ１と、当該基材層Ａ１の上層に設けたガラスビーズ保持層Ａ２と、ガラスビーズ保持層Ａ２により保持した多数の透明なガラスビーズＡ３と、前記ガラスビーズ保持層Ａ２の上層に設けた撥水層Ａ４とからなる。
【００１２】
前記基材層Ａ１は、織物、編物、不織布等であって、ポリアミド系合成繊維、ポリエステル系合成繊維、ポリアクリロニトリル系合成繊維、ポリビニルアルコール系合成繊維、天然繊維またはこれらの混紡繊維からなる。前記ガラスビーズＡ３は、酸化チタン、酸化バリウム、酸化カリウム、二酸化ケイ素、酸化ナトリウム、酸化亜鉛、酸化カルシウム等からなる。球径は、３０μｍ以上９０μｍ以下とするのが好ましい。
【００１３】
前記ガラスビーズ保持層Ａ２には、ポリウレタン系接着剤、ポリエステル系接着剤、ビニル系接着剤、ポリアミド系接着剤等の公知の接着剤を用いる。
【００１４】
前記撥水層Ａ４は、撥水剤、浸透剤、架橋剤を所定比で配合して構成される。前記撥水剤には、フッ素系撥水剤を用いる。フッ素系撥水剤としては、例えば、パーフルオロアルキルアクリル酸エステルを含むものを用いる。前記浸透剤には、界面活性剤、エーテル系混合物を用いる。前記架橋剤には、ブロックイソシアネート、メラミン樹脂混合物を用いる。
【００１５】
前記再帰性反射布帛Ａは、ガラスビーズＡ３を散布接着した面に上記配合からなる撥水剤を塗布する。ガラスビーズ保持層Ａ２は、布材からなる基材層Ａ１の凹凸に付着されるので複雑な表面形状となる。接着剤は、前記浸透剤の作用により、ガラスビーズ保持層Ａ２や基材層Ａ１の微細な凹凸や布の繊維の中に入り込んで、フッ素系撥水剤を強固に接着させる。図２の模式図で示すように、前記再帰性反射布帛Ａは、平面でガラスビーズＡ３の占有面積よりもガラスビーズ保持層Ａ２の占有面積が極めて大きい状態でガラスビーズＡ３が散布接着されている。上記のように、ガラスビーズ保持層Ａ２では、当該ガラスビーズ保持層Ａ２への撥水層Ａ４の接着が強固であるため、雨濡れや汚れの払拭を繰り返しても、撥水層Ａ４が脱落しない。
【００１６】
このため、面積割合の大きいガラスビーズ保持層Ａ２で撥水層Ａ４が保持されるため、主に当該ガラスビーズ保持層Ａ２で撥水される。また、図３の模式図に示すように、雨濡れや汚れの払拭の繰り返しによりガラスビーズＡ３の表面の撥水層４が一部脱落するものの（脱落部Ａ５）、このガラスビーズＡ３の表面に残る撥水層Ａ４も同様に水をはじく。これにより、再帰性反射布帛Ａ全体として、雨濡れや汚れの払拭を繰り返しても撥水性が低下せず、再帰性反射性能が低下し難い。
【００１７】
また、図４に示すように、前記外皮部材１の表面を保護部材Ａ６で覆うことにより、当該外皮部材１の再帰性反射性能の低下をより軽減することができる。前記保護部材Ａ６は、例えば、透明の樹脂又は布帛等を採用できる。
【００１８】
図５は、本考案の実施の形態１に係る反射グッズ１００を示す構成図である。前記中身部材２には、ポリウレタン、ポリエステル、綿、不織布、布、木屑、発砲スチロール等を用いることができる。前記外皮部材１に内包させ易くするため、糸状、綿状、細粒状又はペレット状に加工されたものが好ましい。
【００１９】
前記形状維持部材３は、前記外皮部材１の周縁内部に設けられ、金属製又は樹脂製のワイヤー、糸、テープ等の紐状又は狭幅の帯状である。記外皮部材１は布材であるため、反射グッズ１００を使用中、何らかの力が加わること又は外皮部材１の劣化等により、前記形状維持部材３が前記外皮部材１を突き破る危険性がある。そのため、前記形状維持部材３の両先端部４を丸く形成することが好ましい（図６（ｂ））。例えば、輪状又は雫状に形成することが好ましい。また、前記形状維持部材３は、弾性材料からなるが、変形した状態を維持する材料により構成しても良い。変形可能な材料を用いることで、反射グッズ１００を所望の形状に変化させることができるので、様々な美感を持たせることができる。
【００２０】
次に、反射グッズ１００の作製方法を説明する。図６は、反射グッズ１００の作製方法を示す一例である。まず、外皮部材１に羽根型の型紙Ｋを当て、外皮部材１を羽根型に左右各２枚ずつ裁断する（ａ）。裁断した左右それぞれ片方の外皮部材１の周縁部に沿って形状維持部材３を固定するが、このとき、形状維持部材３の両先端部４を輪状にする（ｂ）。次に、左右それぞれ２枚の外皮部材１の周縁を円周の８割程縫い合わせる（ｃ）。そして、縫い合わせた外皮部材１の表裏を返し、その内部に中身部材２を詰めるが、このとき、全体が膨らみを持ち袋状立体的になるよう十分に中身部材２を詰める（ｄ）。最後に、前記円周の残りの部分及び左右の羽根を縫い合わせる（ｅ）。
【００２１】
前記反射グッズ１００は、全体として袋状立体的に形成され、且つ、表面全体が再帰性反射材で構成されているため、３６０度あらゆる方向からの光を反射することが可能となる。また、前記再帰性反射布帛Ａを用いることで、再帰性反射性能が低下し難い効果を奏する。これらの効果により、特に夜間又は暗所において、あらゆる方向からの自動車等のライトを反射できるため、歩行者等の安全性を確保することができる。なお、前記反射グッズ１００は、歩行者のみならず、ペット等の動物への装着も可能である。ペット等へ装着した際にも、歩行者のとき同様、夜間又は暗所において、ペット等の安全性を確保することができる。
【００２２】
（実施の形態２）
図７は、本考案の実施の形態２に係る反射グッズ２００を示す構成図である。前記反射グッズ１００と同一の構成要素には同一符号を付し、その説明を省略する。
【００２３】
中身部材５には、ポリウレタン、ポリエステル、綿、不織布、布、木片、発砲スチロール等を用いることができる。当該中身部材５は、前記反射グッズ２００の全型とほぼ同型に形成される。なお、前記反射グッズ２００においては、前記形状維持部材３は用いない。
【００２４】
次に、反射グッズ２００の作製方法を説明する。図８は、反射グッズ２００の作製方法を示す一例である。まず、発砲スチロールの中身部材５を球状に成形する（ａ）。次に、外皮部材１に舟型の型紙Ｋを当て、外皮部材１を６枚裁断する（ｂ）。そして、中身部材５の表面に６枚の外皮部材をそれぞれ接着する（ｃ）。最後に、公知のアクセサリー用金具６を取り付ける（ｄ）。
【００２５】
前記反射グッズ２００は、再帰性反射材を含む部分が全体として袋状立体的に形成され、且つ、表面全体が再帰性反射材で構成されているため、実施の形態１と同様の効果を奏することができる。また、前記形状維持部材３を用いないため、より簡単に且つ安価に、上記効果を奏することができる。
【００２６】
以上、本考案に係る実施の形態を述べたが、本発明はこれに限定されるものではない。例えば、上記実施の形態１では、前記形状維持部材３は、前記外皮部材１の周縁内部に設けられると説明したが、前記反射グッズ１００の内部中心に、全体の骨組みとして設ける構成としてもよい。係る構成とすることで、姿勢を自由に変えられる人形型反射グッズを提供することができる。
【００２７】
また、上記実施の形態では、前記外皮部材１は、布帛により構成されるものと説明したが、例えば、硬質な樹脂、木材又は紙等に反射インクを塗布することでも構成できる。係る構成とすることで、布帛とは異質の反射グッズを提供することができる。
【００２８】
また、本考案は上記実施の形態で述べた物品のほか、衣類、和服、和小物、装飾品、美術品、インテリア、店頭オブジェ、その他造形物等にも適用することができる。これらに本考案の構成を適用することで、視認者に美感を想起させ得る。即ち、安全性のみならず、芸術性、美術性を兼ね備えた反射グッズを提供することができる。
【符号の説明】
【００２９】
１  外皮部材
２  実施の形態１に係る中身部材
３  形状維持部材
４  形状維持部材の両先端部
５  実施の形態２に係る中身部材
６  アクセサリー用金具
Ａ  再帰性反射布帛
Ｋ  型紙
【図１】
0003211626.tif 000003
【図２】
0003211626.tif 000004
【図３】
0003211626.tif 000005
【図４】
0003211626.tif 000006
【図５】
0003211626.tif 000007
【図６】
0003211626.tif 000008
【図７】
0003211626.tif 000009
【図８】
0003211626.tif 000010